(57)【要約】    【課題】音楽ＣＤから音楽データを取り込んでハードディスク（ＨＤＤ）に記録しておき、必要に応じて再生出力する機能を備えた車載ナビゲーション装置において、ＨＤＤから音楽データが削除される前に、その音楽データの内容をユーザが簡単に判断することができるものを提供する。    【解決手段】ＨＤＤ１３にアルバムやトラックなどの楽曲単位で音楽データを記録し、この音楽データに基づいて、再生すべき楽曲のプレイリストをプレイリスト登録部１１１において登録すると共に、削除すべき楽曲の削除リストを削除リスト登録部１１２において登録する。そして、プレイリストに登録されているアルバムとトラックを再生出力すると共に、削除リストに登録されているアルバムとトラックについては、イントロ部分のみを再生出力する。【選択図】図１
2006236546.tif 000002
【特許請求の範囲】
【請求項１】
楽曲単位で音楽データを記録する記録手段と、
前記記録手段に記録されている音楽データに基づいて、再生すべき楽曲のリスト（プレイリスト）と、削除すべき楽曲のリスト（削除リスト）とを登録するリスト登録手段と、
予め指定された期限が来たときに前記削除リストに登録されている楽曲の音楽データを前記記録手段から削除する削除手段と、
前記プレイリストに登録されている楽曲を再生出力する第１の再生出力手段と、
前記削除リストに登録されている楽曲の一部分のみを再生出力する第２の再生出力手段とを備えることを特徴とする車載情報端末。
【請求項２】
請求項１の車載情報端末において、
前記プレイリストに登録されている楽曲のいずれかをユーザの操作に応じて選択する選択手段と、
前記選択手段により選択された楽曲を前記プレイリストから前記削除リストへ移動して登録し直す登録移動手段と、
前記プレイリストに登録されている楽曲の少なくとも一部について、前記登録移動手段による削除リストへの移動を制限する移動制限手段と、
前記移動制限手段によってその楽曲が削除リストへの移動を制限されていることを示す表示形態を、前記プレイリストと共にモニタに画面表示する表示制御手段とをさらに備えることを特徴とする車載情報端末。
【請求項３】
各楽曲に特定のトラック名またはアルバム名のいずれか少なくとも一つを関連付けて、楽曲単位で音楽データを記録する記録手段と、
前記記録手段に記録されている音楽データに基づいて、削除すべき楽曲のリスト（削除リスト）をアルバム単位またはトラック単位で登録する削除リスト登録手段と、
予め指定された期限が来たときに前記削除リストに登録されている楽曲の音楽データを前記記録手段から削除する削除手段と、
前記削除リストにアルバム単位で登録されている各楽曲の一部分のみをそれぞれ再生出力するイントロ再生出力手段と、
前記削除リストにトラック単位で登録されている各楽曲の全部分をそれぞれ再生出力するフル再生出力手段とを備えることを特徴とする車載情報端末。
【発明の詳細な説明】
【技術分野】
【０００１】
本発明は、音楽データをハードディスクに記録しておき、必要に応じて再生出力する機能を備えた車載情報端末に関する。
【背景技術】
【０００２】
車両を目的地まで案内するためのナビゲーション機能に加えて、音楽ＣＤから音楽データを取り込んでハードディスク（ＨＤＤ）に記録しておき、必要に応じて再生出力する機能を備えた車載ナビゲーション装置が知られている（非特許文献１）。
【０００３】
【非特許文献１】特許庁  標準技術集  「カーナビゲーション装置のユーザーインターフェイス」主分類６−Ｃ−１ａ
【発明の開示】
【発明が解決しようとする課題】
【０００４】
非特許文献１に開示される装置では、ＨＤＤの容量を確保するために、不要となった音楽データを削除する必要がある。このとき、ＨＤＤから音楽データが削除される前に、その音楽データの内容をユーザが簡単に判断できるようにしたいという要望がある。
【課題を解決するための手段】
【０００５】
請求項１の発明による車載情報端末は、楽曲単位で音楽データを記録する記録手段と、記録手段に記録されている音楽データに基づいて、再生すべき楽曲のリスト（プレイリスト）と、削除すべき楽曲のリスト（削除リスト）とを登録するリスト登録手段と、予め指定された期限が来たときに削除リストに登録されている楽曲の音楽データを記録手段から削除する削除手段と、プレイリストに登録されている楽曲を再生出力する第１の再生出力手段と、削除リストに登録されている楽曲の一部分のみを再生出力する第２の再生出力手段とを備えるものである。
請求項２の発明は、請求項１の車載情報端末において、プレイリストに登録されている楽曲のいずれかをユーザの操作に応じて選択する選択手段と、選択手段により選択された楽曲をプレイリストから削除リストへ移動して登録し直す登録移動手段と、プレイリストに登録されている楽曲の少なくとも一部について、登録移動手段による削除リストへの移動を制限する移動制限手段と、移動制限手段によってその楽曲が削除リストへの移動を制限されていることを示す表示形態を、プレイリストと共にモニタに画面表示する表示制御手段とをさらに備えるものである。
請求項３の発明による車載情報端末は、各楽曲に特定のトラック名またはアルバム名のいずれか少なくとも一つを関連付けて、楽曲単位で音楽データを記録する記録手段と、記録手段に記録されている音楽データに基づいて、削除すべき楽曲のリスト（削除リスト）をアルバム単位またはトラック単位で登録する削除リスト登録手段と、予め指定された期限が来たときに削除リストに登録されている楽曲の音楽データを記録手段から削除する削除手段と、削除リストにアルバム単位で登録されている各楽曲の一部分のみをそれぞれ再生出力するイントロ再生出力手段と、削除リストにトラック単位で登録されている各楽曲の全部分をそれぞれ再生出力するフル再生出力手段とを備えるものである。
【発明の効果】
【０００６】
本発明によれば、楽曲単位で音楽データを記録し、この音楽データに基づいて、再生すべき楽曲のプレイリストと、削除すべき楽曲の削除リストとを登録する。そして、予め指定された期限が来たときに、削除リストに登録されている楽曲の音楽データを削除する。また、プレイリストに登録されている楽曲を再生出力すると共に、削除リストに登録されている楽曲の一部分のみを再生出力することとした。このようにしたので、ＨＤＤから音楽データが削除される前に、その音楽データの内容をユーザが簡単に判断することができる。
【発明を実施するための最良の形態】
【０００７】
−第１の実施の形態−
本発明の一実施形態による音楽データ記録再生機能付き車載ナビゲーション装置の構成を図１に示す。このナビゲーション装置１は、出発地から目的地までの推奨経路を地図上に表示して車両を目的地まで案内する一般的なナビゲーション機能を有している。さらに加えて、音楽ＣＤから音楽データを取り込んで記録しておき、必要に応じて再生出力する音楽データの記録再生機能も有している。図１に示すように、ナビゲーション装置１はナビゲーション部１０、音楽データ記録再生部１１、モニタ１２、ＨＤＤ１３、およびＣＤ／ＤＶＤドライブ１４を有している。音楽データ記録再生部１１には、入力された音声信号を不図示のスピーカへ出力して音声を出力するためのオーディオ装置２が接続されている。
【０００８】
ナビゲーション部１０は、マイクロプロセッサやＲＯＭ、ＲＡＭ等を用いて構成される演算処理部１０１と、ＧＰＳ衛星から受信するＧＰＳ信号や自車両の運動状態の検出結果などに基づいて自車両の現在地を検出する現在地検出部１０２と、ユーザからの要求入力を受け付けるための入力操作部１０３とを有している。入力操作部１０３を介してユーザから目的地が設定されると、現在地検出部１０２を用いて現在地を検出した後、演算処理部１０１により、ＨＤＤ１３に記録されている地図データを読み出して周知のナビゲーション処理を行う。こうしてナビゲーション部１０において現在地から目的地までの推奨経路を求め、モニタ１２に車両を目的地まで誘導するための地図表示などを行うことで、ナビゲーション装置１においてナビゲーション機能が実現される。
【０００９】
上記のように、入力操作部１０３を操作して目的地を設定することで、ユーザはナビゲーション装置１に対してナビゲーション機能の実行を要求することができる。さらにユーザは、入力操作部１０３の操作により、音楽データの記録再生機能の実行をナビゲーション装置１に対して要求することもできる。音楽データの記録再生機能の要求がユーザによって行われると、その要求内容は音楽データ記録再生部１１に通知される。なお、入力操作部１０３としては、たとえばモニタ１２と一体化されたタッチパネルや、リモコンなどを用いることができる。
【００１０】
音楽データ記録再生部１１は、ユーザからの要求に応じて音楽データの記録再生処理を実行するための構成部分であり、プレイリスト登録部１１１、削除リスト登録部１１２、制御部１１３および再生出力部１１４を有している。音楽データの記録を行う場合には、制御部１１３においてＨＤＤ１３とＣＤ／ＤＶＤドライブ１４を制御することにより、ＣＤ／ＤＶＤドライブ１４にセットされた音楽ＣＤから音楽データを読み込んでＨＤＤ１３に書き込む。このような処理はリッピングと呼ばれている。ＨＤＤ１３には、書き込まれた音楽データが楽曲単位で記録される。
【００１１】
一方、音楽データの再生を行う場合には、前述のリッピング処理によってＨＤＤ１３に記録された音楽データ、あるいは、ＣＤ／ＤＶＤドライブ１４にセットされた音楽ＣＤに記録された音楽データのいずれかを、楽曲単位で再生することができる。制御部１１３においてＨＤＤ１３とＣＤ／ＤＶＤドライブ１４のいずれかを制御して音楽データを読み込み、その音楽データを再生出力部１１４において音声信号に変換することにより、オーディオ装置２に音声信号が出力されて、スピーカから音楽が再生出力される。なお、このとき音楽ＣＤの再生と並行してリッピング処理を行うこともできる。
【００１２】
プレイリスト登録部１１１には、ＨＤＤ１３に楽曲単位で記録されている音楽データに基づいて、再生すべき楽曲のリスト（プレイリスト）が登録されている。また、削除リスト登録部１１２には、削除すべき楽曲のリスト（削除リスト）が登録されている。リッピング処理によってＨＤＤ１３に記録された音楽データは、最初に楽曲ごとにリスト化されてプレイリストに登録される。プレイリストに登録されることにより、その楽曲が再生出力される。不要な楽曲はユーザの操作に応じて削除リストに登録され、予め指定された期限が来たときに、削除リストに登録されている楽曲の音楽データがＨＤＤ１３から削除される。なお、プレイリスト登録部１１１および削除リスト登録部１１２は、たとえばフラッシュメモリなどによって実現することができる。または、ＨＤＤ１３の一部を用いて実現してもよい。あるいは、プレイリストと削除リストのどちらに登録されているかを示すフラグを楽曲ごとに付与することで、実際にリストの内容を記録せずに実現することとしてもよい。これ以外にも様々な方法を用いて、プレイリスト登録部１１１と削除リスト登録部１１２の機能を実現することができる。
【００１３】
ＨＤＤ１３における音楽データの記録や、プレイリストと削除リストへの登録は、楽曲の個々の曲目（トラック）単位、または複数のトラックを組み合わせて構成されるアルバム単位のいずれで行うこともできる。すなわち、たとえば「ａ」という名称のトラックが「Ａ」という名称のアルバムに含まれていたとすると、トラック「ａ」のみをプレイリスト（または削除リスト）に登録することもできるし、他のトラックも合わせて、アルバム「Ａ」で登録することもできる。なお、アルバム「Ａ」で削除リストに登録していた場合は、指定された期限が来ると、トラック「ａ」だけでなく、アルバム「Ａ」に含まれる全てのトラックがＨＤＤ１３から消去される。
【００１４】
プレイリスト登録部１１１において登録されているプレイリストをモニタ１２に画面表示した例を図２および図３に示す。図２（ａ）〜（ｆ）は、トラック単位で登録されているプレイリスト（トラックリスト）の表示例を示しており、図３（ａ）〜（ｆ）は、アルバム単位で登録されているプレイリスト（アルバムリスト）の表示例を示している。
【００１５】
ナビゲーション装置１においてユーザからトラックリストの表示を指示されると、初めに図２（ａ）のような画面がモニタ１２に表示される。この画面には、「トラック１」、「トラック２」、「トラック３」、「トラック４」および「トラック５」の合計５つのトラック名がリスト表示されている。なお、画面内に表示しきれないトラック名は、リストを画面下側にスクロールすることによって表示することができる。符号２１に示すマークは保護対象マークであり、このマークが表示されている「トラック１」および「トラック２」は保護対象に設定されており、削除リストへの移動が制限されていることを示している。このようにして、トラックリストに登録されている楽曲の少なくとも一部については、トラックリストから削除リストへの移動が制限されている。これにより、必要な音楽データをユーザが誤って削除しないようにしている。
【００１６】
表示されているトラックリストの中から「トラック４」をユーザが選択すると、次に（ｂ）に示すような画面が表示される。この画面では、選択したトラックを削除リストに追加するか否かを決定することができる。ユーザが「削除リストに追加」を選ぶと、選択している「トラック４」がトラックリストから削除リストに移動され、削除リストに登録し直される。その結果、（ｃ）に示すように「トラック４」がトラックリストから消される。一方、「戻る」を選んだ場合は、削除リストへの移動は行われず、（ａ）の画面へと戻る。
【００１７】
また、表示されているトラックリストの中から、保護対象マーク２１が表示されている「トラック２」がユーザによって選択されると、同様に（ｄ）に示すような画面が表示される。この画面においてユーザが「削除リストに追加」を選ぶと、次に（ｅ）に示すような画面が表示される。この画面では、保護対象に設定されている「トラック２」を削除リストに移動してもよいかを再度ユーザに確認させるためのウィンドウ枠（削除確認ウィンドウという）が表示されている。ここでユーザが「追加する」を選ぶと、「トラック１」がトラックリストから削除リストに移動され、削除リストに登録し直されて、（ｆ）に示すように「トラック２」がトラックリストから消される。
【００１８】
次に、図３のアルバムリストの表示例について説明する。ナビゲーション装置１においてユーザからアルバムリストの表示を指示されると、初めに図３（ａ）のような画面がモニタ１２に表示される。この画面には、図２（ａ）のトラックリストと同様に、「アルバム１」、「アルバム２」、「アルバム３」、「アルバム４」および「アルバム５」の合計５つのアルバム名がリスト表示されている。なお、「アルバム１」および「アルバム２」には、保護対象マーク２１が表示されている。
【００１９】
表示されているアルバムリストの中からいずれかのアルバムがユーザによって選択されると、図２で説明したのと同様の処理が行われる。たとえば、「アルバム４」が選択されると（ｂ）に示すような画面が表示され、ここでユーザが「削除リストに追加」を選ぶと、選択している「アルバム４」がアルバムリストから削除リストに移動されて、（ｃ）に示すように「アルバム４」がアルバムリストから消される。また、削除制限マーク２１が表示されている「アルバム２」が選択されると（ｄ）に示すような画面が表示され、ここでユーザが「削除リストに追加」を選ぶと、（ｅ）に示すような画面が表示される。この画面でユーザが「追加する」を選ぶと、「アルバム２」がアルバムリストから削除リストに移動されて、（ｆ）に示すように「アルバム２」がアルバムリストから消される。
【００２０】
以上説明したようにして、プレイリストとしてトラックリストやアルバムリストが画面表示され、その中でユーザに選択されたトラックやアルバムが削除リストに移動される。
【００２１】
次に、削除リスト登録部１１２において登録されている削除リストをモニタ１２に画面表示した例を図４に示す。ナビゲーション装置１においてユーザから削除リストの表示を指示されると、初めに図４（ａ）のような画面が表示される。この画面には、「アルバム１」、「アルバム２」および「アルバム３」と、「トラックリスト」がリスト表示されている。この中からたとえば「アルバム２」をユーザが選択すると、（ｂ）に示すような画面が表示される。
【００２２】
（ｂ）の画面において「イントロ再生」が選択されると、「アルバム２」に含まれている各楽曲の最初の一部分のみがイントロ再生される。これにより、削除リストに登録されている楽曲の内容をユーザが簡単に確認できるようにしている。なお、ここでは最初の一部分を再生する例を説明しているが、それ以外の部分、たとえばサビの一部分のみを再生するようにしてもよい。「アルバムを戻す」が選択されると、「アルバム２」が削除リストからプレイリスト（アルバムリスト）に戻されて、再びアルバムリストに登録される。「アルバム削除」が選択されると、予め指定された期限が来る前であっても「アルバム２」の音楽データがＨＤＤ１３から削除される。「アルバムを戻す」または「アルバム削除」が選択された場合は、削除リストから「アルバム２」が消され、（ｃ）のような画面が表示される。
【００２３】
また、（ｂ）の画面において「詳細情報表示」が選択されると、「アルバム２」に関する詳細情報が表示される。たとえば、ＨＤＤ１３に音楽データが記録された年月日、アーティスト名、再生回数、最後に再生した年月日などが詳細情報として表示される。「戻る」が選択されると、（ａ）の画面へと戻る。
【００２４】
一方、（ａ）の画面において「トラックリスト」が選択されると、（ｄ）に示すような画面が表示される。この画面において「イントロ再生」が選択されると、削除リストに登録されている各トラックの最初の一部分のみがイントロ再生される。「全トラックを戻す」が選択されると、登録されている全トラックが削除リストからプレイリスト（トラックリスト）に戻されて再び登録される。「全トラック削除」が選択されると、予め指定された期限が来る前であっても、登録されている全トラックの音楽データがＨＤＤ１３から削除される。「戻る」が選択されると、（ａ）の画面へと戻る。
【００２５】
なお、（ａ）の画面において「全曲削除」と書かれたボタン２２が押されると、削除リストに登録されている全楽曲の音楽データ、すなわち「アルバム１」、「アルバム２」および「アルバム３」と全てのトラックの音楽データが、指定された期限が来る前にＨＤＤ１３から削除される。また「全曲を戻す」と書かれたボタン２３が押されると、削除リストに登録されている上記の全楽曲が削除リストからプレイリストに戻され、プレイリストにおいて再び登録される。
【００２６】
（ｄ）の画面において「トラックリスト表示」が選択されると、削除リストに登録されている各トラックがリスト表示され、（ｅ）のような画面が表示される。ここでは、「トラック１」、「トラック２」、「トラック３」および「トラック４」がリスト表示されている例を示している。この画面においては複数のトラックをユーザが選択することが可能であり、たとえば「トラック２」および「トラック４」が選択されると、次に（ｆ）のような画面が表示される。
【００２７】
（ｆ）の画面では、（ｂ）で説明したのと同様の処理が「トラック２」および「トラック４」について行われる。すなわち、「イントロ再生」が選択されると、「トラック２」および「トラック４」の最初の一部分のみがイントロ再生され、「トラックを戻す」が選択されると、「トラック２」および「トラック４」が削除リストからプレイリスト（トラックリスト）に戻されて再び登録される。「トラック削除」が選択されると、予め指定された期限が来る前であっても「トラック２」および「トラック４」の音楽データがＨＤＤ１３から削除される。「トラックを戻す」または「トラック削除」が選択された場合は、削除リストから「トラック２」および「トラック４」が消され、（ｇ）のような画面が表示される。また、「詳細情報表示」が選択されると、「トラック２」および「トラック４」に関する詳細情報が表示され、「戻る」が選択されると、（ｅ）の画面へと戻る。なお、ここでは複数のトラックを同時に指定する例を示したが、１つのトラックのみを選択したときにも同様である。
【００２８】
なお、（ｅ）の画面において「全トラック削除」と書かれたボタン２４が押されると、削除リストに登録されている全トラックの音楽データ、すなわち「トラック１」、「トラック２」、「トラック３」および「トラック４」の音楽データが、指定された期限が来る前にＨＤＤ１３から削除される。また「全トラックを戻す」と書かれたボタン２５が押されると、削除リストに登録されている上記の全トラックが削除リストからプレイリストに戻され、プレイリストにおいて再び登録される。
【００２９】
以上説明したような処理を実行するときのフローチャートを図５および６に示す。図５は、削除リストやプレイリストを表示する際に実行されるフローチャートである。図６は、プレイリストに登録されている楽曲を再生出力すると共に、削除リストに登録されている楽曲の音楽データを予め指定された期限が来たときにＨＤＤ１３から削除する際に実行されるフローチャートである。これらのフローチャートは、いずれも制御部１１３において実行される。以下に図５のフローチャートより先に説明する。
【００３０】
図５のフローチャートにおいて、ステップＳ１では、プレイリストと削除リストのどちらを表示するか判定する。この判定は、ユーザからの操作内容に応じて行われる。ユーザがプレイリスト、すなわち図２のトラックリストまたは図３のアルバムリストを表示することを選択した場合は、ステップＳ２へ進む。一方、図４の削除リストを表示することを選択した場合は、ステップＳ１２へ進む。
【００３１】
ステップＳ２では、プレイリストを表示する。このとき、ユーザからの操作内容に応じて、トラックリストとアルバムリストのいずれかを表示する。ステップＳ３では、ステップＳ２で表示したプレイリスト（トラックリストまたはアルバムリスト）から、いずれかのアルバムまたはトラックが選択されたか否かを判定する。選択された場合は、次のステップＳ４へと進む。
【００３２】
ステップＳ４では、ステップＳ３でユーザが選択したアルバムまたはトラックを削除リストに移動するか否かを判定する。この判定は、ユーザの操作内容に応じて行われる。図２および３で説明したように、ユーザが「削除リストに追加」を選んだ場合には、選択しているアルバムまたはトラックを削除リストに移動するものと判定してステップＳ５へ進む。そうでない場合は、ステップＳ９へ進む。
【００３３】
ステップＳ５では、ステップＳ４において削除リストに移動すると判定されたアルバムまたはトラックが保護対象に設定されているか否かを判定する。そのアルバムまたはトラックに前述の保護対象マーク２１が表示されており、保護対象に設定されている場合は、ステップＳ６へ進む。保護対象に設定されていない場合は、ステップＳ８へ進む。
【００３４】
ステップＳ６では、図２（ｅ）および図３（ｅ）に示したような削除確認ウィンドウを表示する。ステップＳ７では、ユーザによる確認がＯＫであるか否かを判定する。この判定は、ステップＳ６で表示した削除確認ウィンドウにおいて、ユーザが「追加する」と「追加しない」のいずれを選んだかによって行われる。ユーザが「追加する」を選んだ場合は、確認ＯＫであると判定してステップＳ８へ進む。「追加しない」を選んだ場合は、ステップＳ８を実行せずにステップＳ１８へ進む。この場合は、ステップＳ３で選択したアルバムまたはトラックは削除リストへ移動されない。
【００３５】
ステップＳ８では、ステップＳ３で選択したアルバムまたはトラックを削除リストに移動する。このとき、移動されたアルバムまたはトラックは、アルバムリストまたはトラックリストから消されて削除リストに登録し直される。ステップＳ８を実行したら、ステップＳ１８へ進む。
【００３６】
一方、ステップＳ４からステップＳ９へ進んだ場合、ステップＳ９では、ステップＳ３でユーザが選択したアルバムまたはトラックを保護対象に設定するか否かを判定する。この判定はユーザからの操作内容に応じて行われ、ユーザが保護対象に設定する旨の操作を行った場合は、ステップＳ１０へ進む。ステップＳ１０では、選択しているアルバムまたはトラックを保護対象に設定し、次のステップＳ１１では、そのアルバムまたはトラックに対して保護対象マークを表示する。ステップＳ１１を実行したら、ステップＳ１８へ進む。他方、ステップＳ９においてユーザが保護対象に設定する操作を行っていなかった場合は、ステップＳ１０およびＳ１１を実行せずにステップＳ１８へ進む。
【００３７】
また、ステップＳ１からステップＳ１２へ進んだ場合、ステップＳ１２では、削除リストを表示する。ステップＳ１３では、ステップＳ１２で表示した削除リストから、いずれかのアルバムまたはトラックが選択されたか否かを判定する。選択された場合は、次のステップＳ１４へと進む。
【００３８】
ステップＳ１４では、ステップＳ１３でユーザが選択したアルバムまたはトラックをプレイリストに復帰するか否かを判定する。この判定は、ユーザの操作内容に応じて行われる。図４で説明したように、ユーザが「アルバムを戻す」または「トラックを戻す」を選んだ場合には、選択しているアルバムまたはトラックをアルバムリストまたはトラックリストに復帰するものと判定して、ステップＳ１５へと進む。そうでない場合は、ステップＳ１６へ進む。
【００３９】
ステップＳ１５では、ステップＳ１４でプレイリストに復帰すると判定されたアルバムまたはトラックをプレイリストに移動する。このとき、移動されたアルバムまたはトラックは、削除リストから消されてアルバムリストまたはトラックリストに登録し直される。ステップＳ１５を実行したら、ステップＳ１８へ進む。
【００４０】
一方、ステップＳ１４からステップＳ１６へ進んだ場合、ステップＳ１６では、ステップＳ１３でユーザが選択したアルバムまたはトラックのイントロ再生を開始するか否かを判定する。この判定はユーザからの操作内容に応じて行われる。図４で説明したように、ユーザが「イントロ再生」を選んだ場合には、選択しているアルバムまたはトラックのイントロ再生を開始するものと判定してステップＳ１７へ進む。しかし、ステップＳ１６においてユーザが「イントロ再生」を選ばなかった場合は、ステップＳ１７を実行せずにステップＳ１８へ進む。
【００４１】
ステップＳ１７では、選択しているアルバムまたはトラックの音楽データの一部を制御部１１３から再生出力部１１４に出力することにより、そのアルバムまたはトラックのイントロ部分を再生出力する。なお、アルバムである場合には、前述したようにそのアルバムに含まれる各楽曲のイントロ部分を順次再生出力していく。ステップＳ１７を実行したら、ステップＳ１８へ進む。
【００４２】
ステップＳ１８では、表示しているプレイリスト（トラックリスト、アルバムリスト）または削除リストの表示を終了するか否かを判定する。この判定はユーザの操作内容に応じて行われ、表示を終了することをユーザが選択した場合は、図５のフローチャートを終了する。そうでない場合はステップＳ１へ戻り、上記に説明したような処理を繰り返す。以上説明したようにして、削除リストやプレイリストを表示する。
【００４３】
次に図６のフローチャートについて説明する。ステップＳ２０では、プレイリストの再生を行い、その時点でプレイリストに登録されているアルバムおよびトラックの各楽曲を再生出力する。ステップＳ２１では、削除リストの消去期限になったか否かを判定する。この消去期限は予めユーザが指定することができ、たとえば毎月１日、毎週月曜日などを指定することができる。あるいは削除リストに登録した日時を楽曲ごとに記録しておき、そこから所定期間が経過したときに削除するようにしてもよい。消去期限になった場合はステップＳ２２へ進み、そうでない場合はステップＳ２０へ戻る。
【００４４】
ステップＳ２２では、その時点で削除リストに登録されているアルバムおよびトラックの音楽データをＨＤＤ１３から消去することにより、不要な楽曲を削除する。このようにして、予め指定された期限が来たときに、削除リストに登録されている楽曲の音楽データをＨＤＤ１３から削除する。ステップＳ２２を実行したら、ステップＳ２０へ戻る。以上説明したようにして、プレイリストに登録されている楽曲を再生出力するとともに、削除リストに登録されている楽曲の音楽データを予め指定された期限でＨＤＤ１３から削除する。
【００４５】
以上説明した実施の形態によれば、次の作用効果が得られる。
（１）ＨＤＤ１３にアルバムやトラックなどの楽曲単位で音楽データを記録し、この音楽データに基づいて、再生すべきアルバムとトラックのプレイリストをプレイリスト登録部１１１において登録すると共に、削除すべきアルバムとトラックの削除リストを削除リスト登録部１１２において登録する。そして、予め指定された期限が来たときに（ステップＳ２１）、削除リストに登録されているアルバムとトラックの音楽データをＨＤＤ１３から削除する（ステップＳ２２）。また、プレイリストに登録されているアルバムとトラックを再生出力する（ステップＳ２０）と共に、削除リストに登録されているアルバムとトラックについては、イントロ部分を再生出力することにより（ステップＳ１７）、その一部分のみを再生出力することとした。このようにしたので、ＨＤＤから音楽データが削除される前に、その音楽データの内容をユーザが簡単に判断することができる。
【００４６】
（２）プレイリストに登録されているアルバムまたはトラックのいずれかをユーザの操作に応じて選択し（ステップＳ３）、選択されたアルバムまたはトラックをプレイリストから削除リストへ移動して登録し直す（ステップＳ８）。このとき、プレイリストに登録されているアルバムまたはトラックの少なくとも一部については、保護対象に設定することにより削除リストへの移動を制限する（ステップＳ１０）と共に、そのことを示す保護表示マークを、プレイリストと共にモニタ１２に画面表示する（ステップＳ１１）こととした。このようにしたので、必要な音楽データをユーザが誤って削除しないようにすることができる。
【００４７】
−第２の実施の形態−
本発明の上記とは別の実施形態について説明する。本実施の形態では、削除リストに登録されている楽曲のうち、アルバム単位で登録されている楽曲については、上記の第１の実施の形態と同様に各楽曲のイントロ部分のみを生成出力する。しかし、削除リストにトラック単位で登録されている楽曲については、その楽曲の全体をフル再生出力する。これにより、アルバムとトラックで楽曲の確認方法を変化させ、ユーザが確認しやすくしている。
【００４８】
本実施形態で削除リスト登録部１１２において登録されている削除リストをモニタ１２に画面表示した例を図７に示す。ナビゲーション装置１においてユーザから削除リストの表示を指示されると、初めに図７（ａ）のような画面が表示される。この画面には、「アルバム１」、「アルバム２」および「アルバム３」と、「トラック１」および「トラック２」とがリスト表示されている。この中からアルバムのいずれか、たとえば「アルバム２」をユーザが選択すると、図４と同様の（ｂ）に示すような画面が表示される。
【００４９】
（ｂ）の画面において「イントロ再生」が選択されると、第１の実施の形態と同様に、「アルバム２」に含まれている各楽曲の最初の一部分のみがイントロ再生される。これにより、削除リストに登録されている楽曲の内容をユーザが簡単に確認できるようにしている。なお、ここでは最初の一部分を再生する例を説明しているが、それ以外の部分、たとえばサビの一部分のみを再生するようにしてもよい。「アルバムを戻す」が選択されると、「アルバム２」が削除リストからプレイリスト（アルバムリスト）に戻されて、再びアルバムリストに登録される。「アルバム削除」が選択されると、予め指定された期限が来る前であっても「アルバム２」の音楽データがＨＤＤ１３から削除される。「アルバムを戻す」または「アルバム削除」が選択された場合は、削除リストから「アルバム２」が消され、（ｃ）のような画面が表示される。
【００５０】
また、（ｂ）の画面において「詳細情報表示」が選択されると、「アルバム２」に関する詳細情報が表示される。たとえば、ＨＤＤ１３に音楽データが記録された年月日、アーティスト名、再生回数、最後に再生した年月日などが詳細情報として表示される。「戻る」が選択されると、（ａ）の画面へと戻る。
【００５１】
一方、（ａ）の画面においてトラックのいずれか、たとえば「トラック１」が選択されると、（ｄ）に示すような画面が表示される。この画面において「再生」が選択されると、「トラック１」の楽曲の全部分がフル再生される。「トラックを戻す」が選択されると、「トラック１」が削除リストからプレイリスト（トラックリスト）に戻されて再び登録される。「トラック削除」が選択されると、予め指定された期限が来る前であっても、「トラック１」の音楽データがＨＤＤ１３から削除される。「トラックを戻す」または「トラック削除」が選択された場合は、削除リストから「トラック１」が消され、（ｅ）のような画面が表示される。
【００５２】
また、（ｄ）の画面において「詳細情報表示」が選択されると、「トラック２」に関する詳細情報として、前述したアルバム２の詳細情報と同様の情報が表示される。「戻る」が選択されると、（ａ）の画面へと戻る。
【００５３】
なお、（ａ）〜（ｅ）の各画面において「全曲削除」と書かれたボタン２２が押されると、その時点で削除リストに登録されている全楽曲の音楽データが、指定された期限が来る前にＨＤＤ１３から削除される。また「全曲を戻す」と書かれたボタン２３が押されると、その時点で削除リストに登録されている全楽曲が削除リストからプレイリストに戻され、プレイリストにおいて再び登録される。
【００５４】
以上説明したような処理を実行するときのフローチャートを図８、９および１０に示す。図８および９は、削除リストやプレイリストを表示する際に実行されるフローチャートである。図１０は、プレイリストに登録されている楽曲を再生出力すると共に、削除リストに登録されている楽曲の音楽データを予め指定された期限が来たときにＨＤＤ１３から削除する際に実行されるフローチャートである。これらのフローチャートにおいて、図５および６に示す第１の実施の形態と同じ内容の処理ステップについては、同一のステップ番号としている。なお、これらのフローチャートは、いずれも制御部１１３において実行される。以下に図８および９のフローチャートより先に説明する。
【００５５】
図８のステップＳ１〜Ｓ１１およびＳ１８と、図９のステップＳ１２〜Ｓ１５では、第１の実施の形態と同じ処理を実行する。すなわち、図８のステップＳ１では、プレイリストと削除リストのどちらを表示するか判定する。この判定は、ユーザからの操作内容に応じて行われる。ユーザがプレイリスト、すなわち図２のトラックリストまたは図３のアルバムリストを表示することを選択した場合は、ステップＳ２へ進む。一方、図７の削除リストを表示することを選択した場合は、図９のステップＳ１２へ進む。
【００５６】
ステップＳ２では、プレイリストを表示する。このとき、ユーザからの操作内容に応じて、トラックリストとアルバムリストのいずれかを表示する。ステップＳ３では、ステップＳ２で表示したプレイリスト（トラックリストまたはアルバムリスト）から、いずれかのアルバムまたはトラックが選択されたか否かを判定する。選択された場合は、次のステップＳ４へと進む。
【００５７】
ステップＳ４では、ステップＳ３でユーザが選択したアルバムまたはトラックを削除リストに移動するか否かを判定する。この判定は、ユーザの操作内容に応じて行われる。図２および３で説明したように、ユーザが「削除リストに追加」を選んだ場合には、選択しているアルバムまたはトラックを削除リストに移動するものと判定してステップＳ５へ進む。そうでない場合は、ステップＳ９へ進む。
【００５８】
ステップＳ５では、ステップＳ４において削除リストに移動すると判定されたアルバムまたはトラックが保護対象に設定されているか否かを判定する。そのアルバムまたはトラックに前述の保護対象マーク２１が表示されており、保護対象に設定されている場合は、ステップＳ６へ進む。保護対象に設定されていない場合は、ステップＳ８へ進む。
【００５９】
ステップＳ６では、図２（ｅ）および図３（ｅ）に示したような削除確認ウィンドウを表示する。ステップＳ７では、ユーザによる確認がＯＫであるか否かを判定する。この判定は、ステップＳ６で表示した削除確認ウィンドウにおいて、ユーザが「追加する」と「追加しない」のいずれを選んだかによって行われる。ユーザが「追加する」を選んだ場合は、確認ＯＫであると判定してステップＳ８へ進む。「追加しない」を選んだ場合は、ステップＳ８を実行せずにステップＳ１８へ進む。この場合は、ステップＳ３で選択したアルバムまたはトラックは削除リストへ移動されない。
【００６０】
ステップＳ８では、ステップＳ３で選択したアルバムまたはトラックを削除リストに移動する。このとき、移動されたアルバムまたはトラックは、アルバムリストまたはトラックリストから消されて削除リストに登録し直される。ステップＳ８を実行したら、ステップＳ１８へ進む。
【００６１】
一方、ステップＳ４からステップＳ９へ進んだ場合、ステップＳ９では、ステップＳ３でユーザが選択したアルバムまたはトラックを保護対象に設定するか否かを判定する。この判定はユーザからの操作内容に応じて行われ、ユーザが保護対象に設定する旨の操作を行った場合は、ステップＳ１０へ進む。ステップＳ１０では、選択しているアルバムまたはトラックを保護対象に設定し、次のステップＳ１１では、そのアルバムまたはトラックに対して保護対象マークを表示する。ステップＳ１１を実行したら、ステップＳ１８へ進む。他方、ステップＳ９においてユーザが保護対象に設定する操作を行っていなかった場合は、ステップＳ１０およびＳ１１を実行せずにステップＳ１８へ進む。
【００６２】
また、ステップＳ１から図９のステップＳ１２へ進んだ場合、ステップＳ１２では、削除リストを表示する。ステップＳ１３では、ステップＳ１２で表示した削除リストから、いずれかのアルバムまたはトラックが選択されたか否かを判定する。選択された場合は、次のステップＳ１４へと進む。
【００６３】
ステップＳ１４では、ステップＳ１３でユーザが選択したアルバムまたはトラックをプレイリストに復帰するか否かを判定する。この判定は、ユーザの操作内容に応じて行われる。図７で説明したように、ユーザが「アルバムを戻す」または「トラックを戻す」を選んだ場合には、選択しているアルバムまたはトラックをアルバムリストまたはトラックリストに復帰するものと判定して、ステップＳ１５へと進む。そうでない場合は、ステップＳ１５Ａへ進む。
【００６４】
ステップＳ１５では、ステップＳ１４でプレイリストに復帰すると判定されたアルバムまたはトラックをプレイリストに移動する。このとき、移動されたアルバムまたはトラックは、削除リストから消されてアルバムリストまたはトラックリストに登録し直される。ステップＳ１５を実行したら、図８のステップＳ１８へ進む。
【００６５】
一方、ステップＳ１４からステップＳ１５Ａへ進んだ場合、ステップＳ１５Ａでは、ユーザがステップＳ１３でアルバムとトラックのどちらを選択したかを判定する。ユーザがアルバムを選択している場合はステップＳ１６Ａへ進み、トラックを選択している場合はステップＳ１６Ｂへ進む。
【００６６】
ステップＳ１６Ａへ進んだ場合、ステップＳ１６Ａでは、ステップＳ１３でユーザが選択したアルバムのイントロ再生を開始するか否かを判定する。この判定はユーザからの操作内容に応じて行われる。図７で説明したように、ユーザが「イントロ再生」を選んだ場合には、選択しているアルバムのイントロ再生を開始するものと判定してステップＳ１７Ａへ進む。しかし、ステップＳ１６Ａにおいてユーザが「イントロ再生」を選ばなかった場合は、ステップＳ１７Ａを実行せずに図８のステップＳ１８へ進む。
【００６７】
ステップＳ１７Ａでは、選択しているアルバムに含まれている各トラックの音楽データの一部をそれぞれ制御部１１３から再生出力部１１４に順に出力することにより、そのアルバムの各トラックのイントロ部分を順次再生出力する。ステップＳ１７Ａを実行したら、図８のステップＳ１８へ進む。
【００６８】
一方、ステップＳ１６Ｂへ進んだ場合、ステップＳ１６Ｂでは、ステップＳ１３でユーザが選択したトラックの再生を開始するか否かを判定する。この判定もステップＳ１６Ａと同様に、ユーザからの操作内容に応じて行われる。図７で説明したように、ユーザが「再生」を選んだ場合には、選択しているトラックの再生を開始するものと判定してステップＳ１７Ｂへ進む。しかし、ステップＳ１７Ａにおいてユーザが「再生」を選ばなかった場合は、ステップＳ１７Ｂを実行せずに図８のステップＳ１８へ進む。
【００６９】
ステップＳ１７Ｂでは、選択しているトラックの音楽データを制御部１１３から再生出力部１１４に出力することにより、そのトラックを再生出力する。なお、この場合はステップＳ１７Ａにおけるイントロ再生とは異なり、そのトラックの全部分がフル再生される。ステップＳ１７Ｂを実行したら、図８のステップＳ１８へ進む。
【００７０】
図８のステップＳ１８では、表示しているプレイリスト（トラックリスト、アルバムリスト）または削除リストの表示を終了するか否かを判定する。この判定はユーザの操作内容に応じて行われ、表示を終了することをユーザが選択した場合は、図８および９のフローチャートを終了する。そうでない場合はステップＳ１へ戻り、上記に説明したような処理を繰り返す。以上説明したようにして、削除リストやプレイリストを表示する。
【００７１】
次に図１０のフローチャートについて説明する。このフローチャートでは、第１の実施の形態と同じ処理を実行する。すなわち、ステップＳ２０では、プレイリストの再生を行い、その時点でプレイリストに登録されているアルバムおよびトラックの各楽曲を再生出力する。ステップＳ２１では、削除リストの消去期限になったか否かを判定する。この消去期限は予めユーザが指定することができ、たとえば毎月１日、毎週月曜日などを指定することができる。あるいは削除リストに登録した日時を楽曲ごとに記録しておき、そこから所定期間が経過したときに削除するようにしてもよい。消去期限になった場合はステップＳ２２へ進み、そうでない場合はステップＳ２０へ戻る。
【００７２】
ステップＳ２２では、その時点で削除リストに登録されているアルバムおよびトラックの音楽データをＨＤＤ１３から消去することにより、不要な楽曲を削除する。このようにして、予め指定された期限が来たときに、削除リストに登録されている楽曲の音楽データをＨＤＤ１３から削除する。ステップＳ２２を実行したら、ステップＳ２０へ戻る。以上説明したようにして、プレイリストに登録されている楽曲を再生出力するとともに、削除リストに登録されている楽曲の音楽データを予め指定された期限でＨＤＤ１３から削除する。
【００７３】
以上説明した第２の実施の形態によれば、次の作用効果が得られる。
（１）ＨＤＤ１３にアルバムやトラックなどの楽曲単位で音楽データを記録し、この音楽データに基づいて、削除すべきアルバムとトラックの削除リストをアルバム単位またはトラック単位で削除リスト登録部１１２において登録する。そして、予め指定された期限が来たときに（ステップＳ２１）、削除リストに登録されているアルバムとトラックの音楽データをＨＤＤ１３から削除する（ステップＳ２２）。また、削除リストにアルバム単位で登録されている楽曲については、イントロ部分を再生出力することにより（ステップＳ１７Ａ）その各楽曲の一部分のみをそれぞれ再生出力し、削除リストにトラック単位で登録されている楽曲については、フル再生出力することにより（ステップＳ１７Ｂ）その各楽曲の全部分をそれぞれ再生出力することとした。このようにしたので、ＨＤＤから音楽データが削除される前に、その音楽データの内容をユーザが簡単に判断することができる。
【００７４】
なお、以上説明した実施の形態では、音楽ＣＤより音楽データを読み取ってＨＤＤへ書き込む例について説明したが、一般の市販音楽ＣＤに限らず、音楽データが記録されたＣＤ−Ｒ、ＭＤ、ＤＶＤ、あるいは各種メモリカード類など、様々な記録メディアより音楽データを読み取ることができる。さらに、ラジオやテレビからのアナログ音声信号を取り込み、アナログ・デジタル変換を行ってデータ化した後にＨＤＤへ書き込むようにしてもよい。
【００７５】
以上説明した各実施の形態や各種の変形例はあくまで一例であり、発明の特徴が損なわれない限り、本発明はこれらの内容に限定されない。
【００７６】
上記の実施の形態では、記録手段をＨＤＤ１３、リスト登録手段および削除リスト登録手段を削除リスト登録部１１２によってそれぞれ実現し、その他の各手段を制御部１１３における処理ステップによって実現している。具体的には、削除手段をステップＳ２２、第１の再生出力手段をステップＳ２０、第２の再生出力手段をステップＳ１７、選択手段をステップＳ３、登録移動手段をステップＳ８、移動制限手段をステップＳ１０、表示制御手段をステップＳ１１によってそれぞれ実現している。また、イントロ再生出力手段をステップＳ１７Ａ、フル再生出力手段をステップＳ１７Ｂによってそれぞれ実現している。なお、以上の説明はあくまで一例であり、発明を解釈する際、上記の実施形態の記載事項と特許請求の範囲の記載事項の対応関係には何ら限定も拘束もされない。
【図面の簡単な説明】
【００７７】
【図１】本発明の一実施形態による音楽データ記録再生機能付き車載ナビゲーション装置の構成を示す図である。
【図２】トラックリストの表示例を示す図である。
【図３】アルバムリストの表示例を示す図である。
【図４】削除リストの表示例を示す図である。
【図５】削除リストやプレイリストを表示する際に実行されるフローチャートである。
【図６】プレイリストに登録されている楽曲を再生出力すると共に、削除リストに登録されている楽曲の音楽データを予め指定された期限が来たときにＨＤＤから削除する際に実行されるフローチャートである。
【図７】第２の実施の形態における削除リストの表示例を示す図である。
【図８】第２の実施の形態において削除リストやプレイリストを表示する際に実行されるフローチャートの一部である。
【図９】同じく第２の実施の形態において削除リストやプレイリストを表示する際に実行されるフローチャートの一部である。
【図１０】第２の実施の形態においてプレイリストに登録されている楽曲を再生出力すると共に、削除リストに登録されている楽曲の音楽データを予め指定された期限が来たときにＨＤＤから削除する際に実行されるフローチャートである。
【符号の説明】
【００７８】
１  ナビゲーション装置
２  オーディオ装置
１０  ナビゲーション部
１１  音楽データ記録再生部
１２  モニタ
１３  ＨＤＤ
１４  ＣＤ／ＤＶＤドライブ
１０１  演算処理部
１０２  現在地検出部
１０３  入力操作部
１１１  プレイリスト登録部
１１２  削除リスト登録部
１１３  制御部
１１４  再生出力部
【図１】
2006236546.tif 000003
【図２】
2006236546.tif 000004
【図３】
2006236546.tif 000005
【図４】
2006236546.tif 000006
【図５】
2006236546.tif 000007
【図６】
2006236546.tif 000008
【図７】
2006236546.tif 000009
【図８】
2006236546.tif 000010
【図９】
2006236546.tif 000011
【図１０】
2006236546.tif 000012